【事件の表示】
　特許第３２９００６５号「光走査装置及びカラー画像形成装置」の請求項１ないし５に係る特許に対する特許異議の申立てについて、次のとおり決定する。
【結　論】
　訂正を認める。
　特許第３２９００６５号の請求項１ないし５に係る特許を取り消す。
【理　由】
１．手続の経緯　
　本件特許第３２９００６５号に係る発明についての出願は、平成８年２月２１日に特許出願したものであって、平成１４年３月２２日にその発明について特許の設定登録がされ、その後、ペンタックス株式会社、ならびに岡林茂により特許異議の申立てがなされ、取消理由通知がなされ、その指定期間内である平成１５年８月１１日付けで訂正請求されるとともに特許異議意見書が提出されたものである。　　   
　　　
２．訂正の適否についての判断
２−１．訂正の内容
　特許権者が求めている訂正の内容は、以下のａ〜ｄのとおりである。
訂正事項ａ．請求項１を「光源から出射された光を偏向して被走査面に前記光を走査させる偏向部と、前記偏向部により偏向された前記光にｆθ誤差の補正を行って前記被走査面上の所定の位置に結像させる補正レンズとを備え、前記光源から出射された前記光を前記偏向部により偏向し、前記光を前記補正レンズにより前記被走査面上の所定の位置に結像させて前記被走査面上に前記光を走査させる光走査装置において、前記補正レンズを、主走査面のみ移動自在とするよう主走査方向に直行する二方向の位置がずれないように保持する案内部と、前記補正レンズを、前記案内部の所定の位置に固定する固定手段と、を備えることを特徴とする光走査装置。」と訂正する。
訂正事項ｂ．請求項３の「固定手段は、補正レンズの主走査方向の一端を案内部の所定の位置に固定する接着剤であることを特徴とする請求項１記載の光走査装置。」を、
「固定手段は、補正レンズの主走査方向の走査の開始位置側の端部のみを案内部の所定の位置に固定する接着剤であることを特徴とする請求項１記載の光走査装置。」と訂正する。
訂正事項ｃ．明細書【０００７】段落の「【課題を解決するための手段】請求項１記載の発明は、光源から出射された光を偏向して被走査面に前記光を走査させる偏向部と、前記偏向部により偏向された前記光を前記被走査面上の所定の位置に結像させる補正レンズとを備え、前記光源から出射された前記光を前記偏向部により偏向し、前記光を前記補正レンズにより前記被走査面上の所定の位置に結像させて前記被走査面に前記光を走査させる光走査装置において、前記補正レンズを主走査方向にのみ移動自在に保持する案内部と、前記補正レンズを前記案内部の所定の位置に固定する固定手段とを備える。したがって、補正レンズを主走査方向にのみ移動させ、補正レンズの主走査方向の位置決めをすることができ、これにより、ｆθ誤差が小さくなる。」を    
「【課題を解決するための手段】請求項１記載の発明は、光源から出射された光を偏向して被走査面に前記光を走査させる偏向部と、前記偏向部により偏向された前記光にｆθ誤差の補正を行って前記被走査面上の所定の位置に結像させる補正レンズとを備え、前記光源から出射された前記光を前記偏向部により偏向し、前記光を前記補正レンズにより前記被走査面上の所定の位置に結像させて前記被走査面に前記光を走査させる光走査装置において、前記補正レンズを主走査方向にのみ移動自在とするよう主走査方向に直行する二方向の位置がずれないように保持する案内部と、前記補正レンズを前記案内部の所定の位置に固定する固定手段とを備える。したがって、補正レンズを主走査方向にのみ移動させ、補正レンズの主走査方向の位置決めをすることができ、これにより、ｆθ誤差が小さくなる。」と訂正する。        
訂正事項ｄ．明細書【０００９】段落の「請求項３記載の発明は、請求項１記載の光走査装置における固定手段が補正レンズの主走査方向の一端を案内部の所定の位置に固定する接着剤である。したがって、環境条件が変化して補正レンズが膨張したり収縮したりした際に補正レンズの主走査方向の位置がずれるのを防止できるため、環境条件が変化した際にｆθ誤差が大きくなることが防止される。」を    
「請求項３記載の発明は、請求項１記載の光走査装置における固定手段が補正レンズの主走査方向の走査の開始位置側の端部のみを案内部の所定の位置に固定する接着剤である。したがって、環境条件が変化して補正レンズが膨張したり収縮したりした際に補正レンズの主走査方向の位置がずれるのを防止できるため、環境条件が変化した際にｆθ誤差が大きくなることが防止される。」と訂正する。
　　
２−２．訂正の目的の適否等
訂正事項ａについて
　請求項の訂正である訂正事項ａの「ｆθ誤差の補正を行って前記被走査面上の所定の位置に結像させる補正レンズ」，「補正レンズを、主走査面のみ移動自在とするよう主走査方向に直行する二方向の位置がずれないように保持する案内部」の点は、それぞれ当初明細書【０００３】段落「ｆθ誤差の補正を行う補正レンズ」，当初明細書【０００７】段落「補正レンズを主走査方向にのみ移動自在に保持する。」の記載に基づくものであって、特許請求の範囲の減縮及び明瞭でない記載の釈明を目的とするものと認められ、特許請求の範囲を拡張または変更するものでもない。
  　
訂正事項ｂについて
　請求項の訂正である訂正事項ｂの「固定手段は、補正レンズの主走査方向の走査の開始位置側の端部のみを案内部の所定の位置に固定する接着剤」の点は、当初明細書【００３８】段落「この例では、補正レンズ４２のＳＯＳセンサ４３側の端部のみを接着剤で前記支持部に接着・・・」並びに同明細書【００２８】段落「主走査方向の走査の開始位置側にＳＯＳ（Ｓｔａｒｔ　Ｏｆ　Ｓｃａｎ）センサ４３が設けられている。」の記載に基づくものであって、特許請求の範囲の減縮を目的とするものと認められ、特許請求の範囲を拡張または変更するものでもない。　　
   
訂正事項ｃについて
　発明の詳細な説明の記載を訂正する訂正事項ｃは、上記請求項１の訂正（訂正事項ａ）に対応してこれと整合させようとするものであるから明瞭でない記載の釈明を目的とするものと認められる。       
           
訂正事項ｄについて
 発明の詳細な説明の記載を訂正する訂正事項ｃは、上記請求項３の訂正（訂正事項ｂ）に対応してこれと整合させようとするものであるから明瞭でない記載の釈明を目的とするものと認められる。  
　　　
２−３．むすび
　以上のとおりであるので、上記訂正請求は、特許法第１２０条の４第２項並びに同条第３項において準用する第１２６条第２項及び同条第３項の規定に適合するので訂正を認める。　　
　　
３．取消理由についての判断
３−１．取消理由通知の概要
  平成１５年５月３０日付取消理由通知の概要は、本願請求項１〜５に係る発明は刊行物１〜３に記載された発明に基づいて当業者が容易に発明し得るというものである。
刊行物１：特開平２−３０８２１３号公報（異議申立人岡林茂が提出した甲第１号証）
刊行物２：特開昭６１−２４２１６０号公報（異議申立人岡林茂が提出した甲第２号証）
刊行物３：特開平６−７５１８１号公報（異議申立人ペンタックス株式会社が提出した甲第２号証）
　　　                                                   　　　
３−２．本件発明
　本件の請求項１〜５に係る発明は、訂正請求書の特許請求の範囲１〜５に記載された次の事項により特定されるとおりの以下のものである。（以下、本件発明１〜５という。）　　　　　
「【請求項１】光源から出射された光を偏向して被走査面に前記光を走査させる偏向部と、前記偏向部により偏向された前記光にｆθ誤差の補正を行って前記被走査面上の所定の位置に結像させる補正レンズとを備え、前記光源から出射された前記光を前記偏向部により偏向し、前記光を前記補正レンズにより前記被走査面上の所定の位置に結像させて前記被走査面に前記光を走査させる光走査装置において、前記補正レンズを、主走査方向のみ移動自在とするよう主走査方向に直交する二方向の位置がずれないように保持する案内部と、前記補正レンズを、前記案内部の所定の位置に固定する固定手段と、を備えることを特徴とする光走査装置。
【請求項２】固定手段は、補正レンズを案内部の所定の位置に固定する板バネであることを特徴とする請求項１記載の光走査装置。
【請求項３】固定手段は、補正レンズの主走査方向の走査の開始位置側の端部のみを案内部の所定の位置に固定する接着剤であることを特徴とする請求項１記載の光走査装置。
【請求項４】補正レンズは、主走査方向への力を受ける凸部又は凹部を備えることを特徴とする請求項１記載の光走査装置。
【請求項５】色別に感光体の表面に静電潜像を形成する光走査装置を備えたカラー画像形成装置において、前記光走査装置は、請求項１，２，３又は４記載の光走査装置であることを特徴とするカラー画像形成装置。」　
　　
３−３．刊行物の記載事項　     
刊行物１：「該レーザーユニット２５Ｂｋより・・・ポリゴンミラー２７Ｂｋで反射されたレーザービーム２４Ｂｋは、ｆθレンズ２９Ｂｋにより感光体１４Ｂｋ上に結像し、ポリゴンミラー２７Ｂｋの回転により、感光体Ｂｋ上を走査する。」（２頁左下欄６〜１６行）
「それぞれの色のレーザービーム走査装置１２Ｂｋ，１２Ｃ，１２Ｍ，１２Ｙに送られる。プリンタ部３には、図の例では４組の記録装置１３Ｃ、１３Ｍ、１３Ｙ、１３Ｂｋが並んで配置されている。・・・記録装置１３Ｃはレーザービーム走査装置１２Ｃの外に感光体１４Ｃ・・・を有する。」（２頁左上欄１０行〜同頁左上欄１５行目）　　
「・・・第２図において、ｆθレンズ４１、４２からなる組の中、移動調整され得るのはｆθレンズ４２である。このｆθレンズ４２はその一端側、図中左端側がレンズホルダ５０の段部５０Ａに係合された上、板ばね４６で押圧支持されている。」（５頁左上欄８〜１０行）
「ｆθレンズ４２の多端側、図中右端部の平坦なレンズ面がレンズホルダ５０の平坦な受け面５０Ｂに当接された上、対向するレンズ面より板ばね５１にて押圧支持されている。」（５頁左上欄１６〜１９行）　 
　　  
刊行物２：「位置調整用穴２４へ位置調整ピン２３を挿入し、このピン２３をＸ方向およびＹ方向に微動させながら受光部アッセンブリ２０を動かし、受光面１６と光ビームの軌跡１８とを一致させる。」（３頁左上欄２０行〜同頁右上欄３行）
　　　
刊行物３：「このｆθレンズ１のレンズ有効部の周囲には成形性を良くするために縁どりが付けられており、特に底部には光学フレーム４０などに安定して精度よく固定できるような基準面が設けられていて、さらに３のような光学フレーム４０などに接着固定するための接着用座面も設けられている。」（明細書【００１４】段落）
　　
３−４．対比・判断         
本件発明１について   　      
　本件請求項１に係る発明と刊行物１記載のものとを比較すると、刊行物１記載のものにおける「レーザーユニット２５Ｂｋ」，「感光体１４Ｂｋ」，「ポリゴンミラー２７Ｂｋ」，「ｆθレンズ４２」，「平坦な受け面５０Ｂ」，「板ばね４６」はそれぞれ本件発明１における「光源」，「被走査面」，「偏向部」，「補正レンズ」，「案内部」，「固定手段」に相当する。
　本願発明１の「光走査装置」の点は、刊行物１の上記「レーザービーム２４Ｂｋは、ｆθレンズ２９Ｂｋにより感光体１４Ｂｋ上に結像し、ポリゴンミラー２７Ｂｋの回転により、感光体Ｂｋ上を走査する。」の記載からみて、刊行物１に包含されている。
　また本件発明１の「前記偏向部により偏向された前記光にｆθ誤差の補正を行って前記被走査面上の所定の位置に結像させる補正レンズ」の点は、刊行物１には直接記載されていないが、刊行物１には「ｆθレンズ」の記載があり、このレンズがｆθ誤差の補正のために設けられていることは当業者ならば自明であるから、この点は、刊行物に記載されているに等しい事項である。
　よって両者は、「光源から出射された光を偏向して被走査面に前記光を走査させる偏向部と、補正レンズとを備え、前記光源から出射された前記光を前記偏向部により偏向し、前記光を前記補正レンズにより前記被走査面上の所定の位置に結像させて前記被走査面に前記光を走査させる光走査装置において、前記補正レンズを、主走査方向のみ移動自在とするように保持する案内部と、前記補正レンズを、前記案内部の所定の位置に固定する固定手段と、を備える光走査装置。」である点で一致し、次の点で相違する。　 　
相違点：
　本件発明１の「案内部」が、「補正レンズを主走査方向のみ移動自在とするよう主走査方向に直交する二方向の位置がずれないように保持する」のに対し、刊行物１には、この点が記載されていない点。
　　     
　上記相違点について検討する。
　刊行物１には上記の「第２図において、ｆθレンズ４１、４２からなる組の中、移動調整され得るのはｆθレンズ４２である。このｆθレンズ４２はその一端側、図中左端側がレンズホルダ５０の段部５０Ａに係合された上、板ばね４６で押圧支持されている。」（５頁左上欄８〜１０行）、「ｆθレンズ４２の多端側、図中右端部の平坦なレンズ面がレンズホルダ５０の平坦な受け面５０Ｂに当接された上、対向するレンズ面より板ばね５１にて押圧支持されている。」（５頁左上欄１６〜１９行）及び「上記偏心軸５２はビーム偏向面と垂直にその長手方向を設定されている。ビーム偏向面と平行な面内において光軸Ｏ−Ｏと直行する方向がビーム偏向方向であり、ｆθレンズ両端面に対向して位置している弾性体５３および偏心軸５２を結ぶ線は上記ビーム偏向方向と一致する。」（５頁右上欄５〜１１行）と記載されていることから、刊行物１の偏心軸５２はｆθレンズ４２をビーム偏向方向（本願発明１の主走査方向に相当する。）にのみ移動させる機能を有しており、ビーム偏向方向に直交する二方向に移動させることは想定していないことが読みとれることから、この点は刊行物１の技術的事項を別の形で表現したものにすぎないものである。
　特許権者は、刊行物１のｆθレンズ４２が両端をそれぞれ段部５０Ａと板ばね４６，受け面５０Ｂと板ばね５１によって保持されている点に対して、平成１５年８月１１日付特許異議意見書において、「刊行物１記載の発明は、レンズホルダの段部及びレンズホルダの平坦な受け面に当接した上で対向するレンズ面より板バネにて押圧支持するものである。すなわち、平坦な受け面に当設させることで、光軸方向のみ（つまり一方向のみ）に対して位置がずれないように保持するものにすぎないものである。」（４頁２〜７行）と主張している。
　しかし刊行物１記載の発明において、板バネの押圧力により摩擦が生じるので、「光軸方向」以外の方向にもある程度の保持力がはたらいていることは自明である。そして本件発明１の「主走査方向に直交する二方向の位置がずれないように保持する」点について、本願の実施例を参酌すると、「案内部４９」は溝状の形状をしており、その溝に「補正レンズ」がはめ込まれることが図５からみてとれ、図１のＺ方向（上側方向）に対する保持力は重力によるものであるが、重力による保持であっても本件発明１の「主走査方向に直交する二方向の位置がずれないように保持する」ものと解することができるのであれば、刊行物１記載の発明における、板バネの押圧力による保持力もその範疇に入るものと解される。　
  よって、上記主張は採用するにたらないものである。         
　　
　したがって、本件発明１は、刊行物１に記載された発明を別の形で表現したにすぎないものであって当業者が任意に設計し得る程度のものである。
　　    
本件発明２について
　本件発明２は、本件発明１の固定手段を「補正レンズを案内部の所定の位置に固定する板バネ」と技術的に限定するものである。
　刊行物１には「このｆθレンズ４２はその一端側、図中左端側がレンズホルダ５０の段部５０Ａに係合された上、板ばね４６で押圧支持されている。」（５頁左上欄９〜１０行）と記載されており、「板バネ４６」は上記本件発明２の「板バネ」に相当するので、本件発明２は、本件発明１と同様に刊行物１に記載された発明を別の形で表現したにすぎないものであって当業者が任意に設計し得る程度のものである。           
　　         
本件発明３について         
　本件請求項３に係る発明は、本件請求項１に係る発明の技術事項をさらに「固定手段は、補正レンズの主走査方向の走査の開始位置側の端部のみを案内部の所定の位置に固定する接着剤」と技術的に限定するものである。
　刊行物１には、他の実施例として「このｆθレンズ４２はその一端側、図中左端側がレンズホルダ４５の段部４５Ａに係合された上、板ばね４６で押圧支持されている。」と記載されており、これは本件請求項３の「固定手段は、補正レンズの主走査方向の端部を案内部の所定の位置に固定する」との事項に相当する。また刊行物３には「このｆθレンズ１のレンズ有効部の周囲には成形性を良くするために縁どりが付けられており、特に底部には光学フレーム４０などに安定して精度よく固定できるような基準面が設けられていて、さらに３のような光学フレーム４０などに接着固定するための接着用座面も設けられている。」（明細書【００１４】段落）と記載されており、また、補正レンズのどちらの端部を固定するかは当業者が適宜実施し得る設計的事項に過ぎないから、本件請求項３に係る発明は、刊行物１記載の発明の「板ばね４６」による固定を刊行物３記載の「接着固定」で置換することにより、当業者が容易に想到し得るものである。　
　　        
本件発明４について
　本件発明４は、本件発明１の技術事項を、
「補正レンズは、主走査方向への力を受ける凸部又は凹部を備える」と技術的に限定するものである。    
　刊行物２には「位置調整用穴２４へ位置調整ピン２３を挿入し、このピン２３をＸ方向およびＹ方向に微動させながら受光部アッセンブリ２０を動かし、受光面１６と光ビームの軌跡１８とを一致させる。」（３頁左上欄２０行〜同頁右上欄３行）と記載されている。
　刊行物２記載の「位置調整穴２４」は本件請求項４の「凹部」に相当し、本件発明４がレンズに関するものであるのに対し、刊行物２は「受光部アッセンブリ」に関するものであるが、「受光アッセンブリ」の位置決め技術を「レンズ」の位置決めに適用することに困難性はない。
　よって、本件請求項１に係る発明と同様の技術的事項については、上記と同様であるから、本件発明４は、刊行物１記載の発明に刊行物２記載の事項を適用することにより当業者が容易に想到しえるものである。　
　　      
本件発明５について
　本件請求項５に係る発明は、本件請求項１ないし４に係る発明の技術事項をさらに「色別に感光体の表面に静電潜像を形成する光走査装置」と技術的に限定するものである。刊行物１の上記「それぞれの色のレーザービーム走査装置１２Ｂｋ，１２Ｃ，１２Ｍ，１２Ｙに送られる。プリンタ部３には、図の例では４組の記録装置１３Ｃ、１３Ｍ、１３Ｙ、１３Ｂｋが並んで配置されている。・・・記録装置１３Ｃはレーザービーム走査装置１２Ｃの外に感光体１４Ｃ・・・を有する。」の事項は、上記「色別に感光体の表面に静電潜像を形成する光走査装置」と相違がない。
　よって本件請求項５に係る発明は、本件請求項１ないし４に係る発明と同様の理由により、刊行物１記載の発明と同一あるいは刊行物１ないし３から当業者が容易に想到し得たものである。  
　　　　　
４．むすび
　以上のとおりであるから本件発明１ないし５の特許は、特許法第２９条第２項の規定に違反してされたものであり、特許法第１１３条第２号に該当し、取り消されるべきものである。
　よって、結論のとおり決定する。
【異議決定日】
平成１５年９月３０日（２００３．９．３０）
【訂正の要旨】
審決（決定）の【理由】欄参照。
（５４）【発明の名称】
光走査装置及びカラー画像形成装置
（５７）【特許請求の範囲】
　【請求項１】
　光源から出射された光を偏向して被走査面に前記光を走査させる偏向部と、前記偏向部により偏向された前記光
にｆθ誤差の補正を行って
前記補正レンズを、主走査方向のみ移動自在
とするよう主走査方向に直交する二方向の位置がずれないよう
前記補正レンズを、前記案内部の所定の位置に固定する固定手段と、を備えることを特徴とする光走査装置。
　【請求項２】
　固定手段は、補正レンズを案内部の所定の位置に固定する板バネであることを特徴とする請求項１記載の光走査装置。
　【請求項３】
　固定手段は、補正レンズの主走査方向の
走査の開始位置側の端部のみ
　【請求項４】
　補正レンズは、主走査方向への力を受ける凸部又は凹部を備えることを特徴とする請求項１記載の光走査装置。
　【請求項５】
　色別に感光体の表面に静電潜像を形成する光走査装置を備えたカラー画像形成装置において、前記光走査装置は、請求項１，２，３又は４記載の光走査装置であることを特徴とするカラー画像形成装置。
【発明の詳細な説明】
　【０００１】
　【発明の属する技術分野】
　本発明は、像担持体に静電潜像を形成する光走査装置に関する。
　【０００２】
　【従来の技術】
　光走査装置は、半導体レーザから出射されたレーザ光をポリゴンミラーにより偏向して感光体等の被走査面にレーザ光を走査させる。
　【０００３】
　このような光走査装置には、像面湾曲やｆθ誤差の補正を行う補正レンズを備えるものがある。
　【０００４】
　ところで、ｆθ誤差は、ポリゴンミラーや補正レンズの主走査方向の位置決め精度により変化する。そして、ポリゴンミラーや補正レンズの主走査方向の位置決め精度を良くすることによりｆθ誤差を小さくすることができる。
　【０００５】
　また、補正レンズの主走査方向の位置決めをして補正レンズを固定することができる光学レンズ保持装置が考えられ、実開昭６３−１３７３１０号公報に記載されている。この光学レンズ保持装置では、光学レンズの三方向の面のそれぞれを基準面に突き当て、光学レンズを保持する保持部に基準面より低いランド部を設け、このランド部に光硬化性接着剤を流し込んで光学レンズを固定している。
　【０００６】
　【発明が解決しようとする課題】
　ところが、実開昭６３−１３７３１０号公報に記載されている光学レンズ保持装置では、ポリゴンミラーの主走査方向の位置決め精度が悪くなると、ｆθ誤差が大きくなることがある。このとき、画像品質が悪くなる。特に、異なる色の画像を転写紙に転写し、転写紙上で色重ねしてカラー画像を形成するカラー画像形成装置においては、ｆθ誤差により色ずれが生じるという問題がある。
　【０００７】
　【課題を解決するための手段】
　請求項１記載の発明は、光源から出射された光を偏向して被走査面に前記光を走査させる偏向部と、前記偏向部により偏向された前記光
にｆθ誤差の補正を行って
とするよう主走査方向に直交する二方向の位置がずれないよう
　【０００８】
　請求項２記載の発明は、請求項１記載の光走査装置における固定手段が補正レンズを案内部の所定の位置に固定する板バネである。従って、補正レンズの主走査方向の位置を調整するとき、補正レンズが主走査方向に移動するように板バネが補正レンズを固定する力を弱くすることができるため、補正レンズの主走査方向の位置の微調整が容易になる。
　【０００９】
　請求項３記載の発明は、請求項１記載の光走査装置における固定手段が補正レンズの主走査方向の
走査の開始位置側の端部のみ
　【００１０】
　請求項４記載の発明は、請求項１記載の光走査装置における補正レンズが、主走査方向への力を受ける凸部又は凹部を備える。従って、主走査方向への力を凸部又は凹部にへ与えることにより、補正レンズを主走査方向に移動させることができるため、補正レンズの主走査方向の位置の微調整が容易になる。
　【００１１】
　請求項５記載の発明は、色別に感光体の表面に静電潜像を形成する光走査装置を備えたカラー画像形成装置において、前記光走査装置が請求項１，２，３又は４記載の光走査装置である。従って、ｆθ誤差の小さな光走査装置を使用して感光体上に光を走査させることにより、感光体間のｆθ誤差のバラツキを小さくすることができるため、色ブレが防止され、画像品質が悪くなるのが防止される。
　【００１２】
　【発明の実施の形態】
　本発明の実施の一形態の光走査装置を図面に基づいて説明する。本実施の形態の光走査装置を適用した画像形成装置を図２に示す。まず、画像形成装置１について説明する。この画像形成装置１は、転写紙２にカラー画像を形成するカラー画像形成装置である。
　【００１３】
　この画像形成装置１には、中央に前記転写紙２を搬送する転写紙搬送ベルト３が配置されている。前記転写紙搬送ベルト３の上面側には、イエロー（Ｙ）、マゼンタ（Ｍ）、シアン（Ｃ）、ブラック（Ｂ）の各色の画像を形成して前記転写紙２に転写する画像形成部４Ｙ，４Ｍ，４Ｃ，４Ｂが前記転写紙２の搬送方向に沿って等間隔に順次配置されている。前記画像形成部４Ｙ，４Ｍ，４Ｃ，４Ｂのそれぞれには、感光体５Ｙ，５Ｍ，５Ｃ，５Ｂが回転自在に設けられている。前記画像形成部４Ｙ，４Ｍ，４Ｃ，４Ｂの上方には、前記感光体５Ｙ，５Ｍ，５Ｃ，５Ｂを露光して静電潜像を形成する光走査部６Ｙ，６Ｍ，６Ｃ，６Ｂが配置されている。
　【００１４】
　前記転写紙搬送ベルト３の下方には、前記転写紙２を給紙する給紙部７が配置されている。前記転写紙搬送ベルト３よりも前記転写紙２の搬送方向の下流側には、前記転写紙２に転写された画像を定着させる定着部８と、この定着部８により画像が定着された前記転写紙２を排紙する排紙部９とが順に配置されている。
　【００１５】
　前記画像形成部４Ｙ，４Ｍ，４Ｃ，４Ｂは、電子写真プロセスにより各色に応じた画像を形成する。イエローの画像を形成して前記転写紙２に転写するイエロー用の前記画像形成部４Ｙには、前記感光体５Ｙが回転自在に設けられている。前記感光体５Ｙの周囲には、前記感光体５Ｙを一様に帯電する帯電器１０Ｙと、前記光走査部６により形成された静電潜像を現像する現像器１１Ｙと、現像された画像を前記転写紙２に転写させる転写ローラ１２Ｙと、前記感光体５Ｙをクリーニングするクリーニング器１３Ｙと、前記感光体５Ｙを除電する除電器１４Ｙとが配置されている。他の前記画像形成部４Ｍ，４Ｃ，４Ｂの構成は、イエロー用の前記画像形成部４Ｙの構成と同様である。よって、前記画像形成部４Ｍ，４Ｃ，４Ｂについては、その説明を省略する。
　【００１６】
　前記搬送ベルト３は、駆動ローラ１５と従動ローラ１６とに掛け渡されたエンドレスベルトである。前記搬送ベルト３は、前記感光体５Ｙ，５Ｍ，５Ｃ，５Ｂと前記転写ローラ１２Ｙ，１２Ｍ，１２Ｃ，１２Ｂとの間を通るように配置されている。前記搬送ベルト３に当接する位置には、この搬送ベルト３に所定の張力を加えるテンションローラ１７が配置されている。前記駆動ローラ１５には、図示しないモータが連結されている。前記駆動ローラ１５は、前記モータにより回転して前記搬送ベルト３を所定の速度で前記感光体５Ｙ，５Ｍ，５Ｃ，５Ｂに沿って移動させる。前記従動ローラ１６の上方には、前記搬送ベルト３上で前記転写紙２がずれないように前記転写紙２を前記搬送ベルト３に静電吸着させる吸着部１８が配置されている。
　【００１７】
　前記給紙部７には、前記転写紙２を積載する給紙カセット１９が設けられている。前記給紙カセット１９の上方には、前記転写紙２を一枚ずつ給紙する給紙ローラ２０が配置されている。前記給紙部７には、前記給紙カセット１９から給紙された前記転写紙２が前記搬送ベルト３の上面側へ搬送される搬送経路２１が形成されている。前記搬送経路２１には、前記転写紙２を搬送する搬送ローラ２２が配置されている。前記搬送経路２１には、前記感光体５Ｙ，５Ｍ，５Ｃ，５Ｂの回転に同期させて前記転写紙２を前記搬送ベルト３へ搬送するレジストローラ２３が配置されている。
　【００１８】
　前記定着部８には、前記転写紙２を加熱加圧して前記転写紙２に画像を定着させる定着ローラ２４が配置されている。
　【００１９】
　前記排紙部９には、前記定着部８により画像が定着された転写紙２を排紙する第一の排紙ローラ２５が配置されている。前記第一の排紙ローラ２５よりも前記転写紙２の搬送方向の下流側には、前記転写紙２が排紙される第一及び第二の排紙トレイ２６，２７が設けられている。前記第一の排紙トレイ２６は、前記画像形成装置１本体の上部に形成されている。前記第二の排紙トレイ２７は、前記画像形成装置１本体の側面（図２中、左側）に形成されている。前記第一の排紙ローラ２５と前記第一の排紙トレイ２６との間には、前記転写紙２が搬送される排紙経路２８が形成されている。前記排紙経路２８には、前記転写紙２の搬送方向を切り替える切換爪２９と、前記転写紙２を排紙する第二の排紙ローラ３０とが配置されている。
　【００２０】
　従って、前記画像形成装置１では、図示しないスタートボタンが押されると、給紙ローラ２０及び搬送ローラ２２が回転し、給紙カセット１９に積載されている転写紙２が一枚ずつ分離されて給紙され、搬送経路２１に沿って搬送される。そして、感光体５Ｙ，５Ｍ，５Ｃ，５Ｂの回転に同期させてレジストローラ２３により転写紙２が搬送ベルト３へ搬送され、転写紙２が吸着部１８により搬送ベルト３に静電吸着されて搬送ベルト３と共に転写紙２が移動する。
　【００２１】
　このとき、イエロー、マゼンタ、シアン、ブラックの各色に応じた画像情報に基づいて光走査部６Ｙ，６Ｍ，６Ｃ，６Ｂにより各感光体５Ｙ，５Ｍ，５Ｃ，５Ｂが露光され、静電潜像が形成される。例えば、イエロー用の画像形成部４Ｙでは、感光体５Ｙが帯電器１０Ｙにより一様に帯電され、イエローの画像情報に基づいて光走査部６Ｙにより感光体５Ｙが露光され、感光体５Ｙ上に静電潜像が形成される。この静電潜像が現像器１１Ｙにより現像され、現像された画像が転写ローラ１２Ｙにより搬送ベルト３上の転写紙２に転写される。その後、感光体５Ｙは、クリーニング器１３Ｙによりクリーニングされ、除電器１４Ｙにより除電されて次の動作に備える。
　【００２２】
　他の画像形成部４Ｍ，４Ｃ，４Ｂにおいても、各色の画像情報に基づいて感光体５Ｍ，５Ｃ，５Ｂ上に形成される静電潜像が異なるだけで、前述のイエロー用の画像形成部４Ｙにおける動作と同様の動作が行われて各色の画像が形成され、搬送ベルト３と共に移動する転写紙２に順次転写される。よって、画像形成部４Ｍ，４Ｃ，４Ｂの動作については、その説明を省略する。
　【００２３】
　そして、各色の画像が転写された転写紙２は、半径の小さい駆動ローラ１５上で搬送ベルト３から分離され、定着部８へ搬送される。定着部８で転写紙２に転写された画像が定着され、転写紙２が第一又は第二の排紙トレイ２６，２７へ排紙される。
　【００２４】
　次に、イエロー用の前記画像形成部４Ｙに設けられている前記感光体５Ｙを露光してその感光体５Ｙに静電潜像を形成するイエロー用の前記光走査部６Ｙを図３及び図４に基づいて説明する。前記光走査部６Ｙは、イエローの画像情報に基づいて光源である半導体レーザ３１を駆動して半導体レーザ３１から所定のタイミングでレーザ光を出射させ、このレーザ光を偏向部３２により偏向して被走査面である前記感光体５Ｙ上にレーザ光を走査させる。
　【００２５】
　図３に示すように前記半導体レーザ３１と前記偏向部３２との間には、前記半導体レーザ３１から出射されたレーザ光の光路に沿ってコリメータレンズ３３と、スリット３４と、シリンダレンズ３５と、第一のミラー３６と、平凸レンズ３７とが配置されている。前記コリメータレンズ３３は、前記半導体レーザ３１から出射されたレーザ光を略平行光に変換する。前記スリット３４は、所定の幅のレーザ光のみを透過させる。前記シリンダレンズ３５は、副走査方向（図３中、紙面に垂直な方向）にのみパワーを有して副走査方向の集光を行う。前記平凸レンズ３７は、主走査方向（図３中、上下方向）の集光を行う。
　【００２６】
　前記偏向部３２には、前記平凸レンズ３７を透過したレーザ光を反射する反射面を有するポリゴンミラー３８が配置されている。前記ポリゴンミラー３８には、前記ポリゴンミラー３８を回転させ、前記反射面に入射するレーザ光の入射角を所定の範囲内で変化させるスキャナモータ３９が連結されている。
　【００２７】
　図３に示すように前記光走査部６Ｙには、前記偏向部３２により偏向されたレーザ光の光路を折り曲げる第二及び第三のミラー４０，４１と、この第三のミラー４１により反射されたレーザ光を前記感光体５Ｙ上で結像させる補正レンズ４２とが配置されている。前記補正レンズ４２は、入出射面共非球面であり、樹脂形成により作成され、主走査方向に長く形成されている。前記ポリゴンミラー３８の反射面の形状と前記補正レンズの非球面形状との組合せで像面湾曲やｆθ誤差の補正が行われるように形成されている。
　【００２８】
　また、前記光走査部６Ｙには、主走査方向の走査の開始位置側にＳＯＳ（Ｓｔａｒｔ　Ｏｆ　Ｓｃａｎ）センサ４３が設けられている。前記光走査部６Ｙには、前記第三のミラー４１により反射されたレーザ光を前記ＳＯＳセンサ４３へ反射させるＳＯＳミラー４４と、このＳＯＳミラー４４により反射されたレーザ光を前記ＳＯＳセンサ４３に結像させるＳＯＳレンズ４５が配置されている。前記ＳＯＳセンサ４３は既存のセンサである。よって、その説明は省略する。
　【００２９】
　また、前記ポリゴンミラー３８の反射面は、副走査断面内において前記補正レンズ４２に関し、前記感光体５Ｙと共役な関係にあるように形成され、ポリゴンミラー３８の回転軸に対する各反射面毎の角度誤差、いわゆる面倒れの出ないように形成されている。
　【００３０】
　従って、光走査部６Ｙでは、イエロー用の画像情報に基づいて半導体レーザ３１が半導体レーザ駆動部により駆動されて所定のタイミングでレーザ光を出射する。半導体レーザ３１から出射されたレーザ光は、コリメータレンズ３３、スリット３４、シリンダレンズ３５、第一のミラー３６及び平凸レンズ３７を介してポリゴンミラー３８の反射面へ入射する。このとき、ポリゴンミラー３８がスキャナモータ３９により回転し、反射面に入射するレーザ光の入射角が所定の範囲内で変化して反射面で反射するレーザ光が偏向される。その後、レーザ光が第二及び第三のミラー４０，４１により反射される。反射されたレーザ光を補正レンズ４２で結像して感光体上に走査させる。
　【００３１】
　このとき、ポリゴンミラー３８の反射面の形状と、補正レンズの非球面形状との組合せにより、像面湾曲及びｆθ特性の補正が行われる。
　【００３２】
　他の前記光走査部６Ｍ，６Ｃ，６Ｂの構成及び動作は、各色の画像情報に基づいてレーザ光を出射させるタイミングが異なるだけで、イエロー用の前記光走査部６Ｙと同様である。よって、他の前記光走査部６Ｍ，６Ｃ，６Ｂについての説明は省略する。
　【００３３】
　次に、前記補正レンズ４２を図１及び図５に基づいて説明する。前記補正レンズ４２は、支持部４６により支持されている。前記補正レンズ４２には、レーザ光の入出射面を除く他の四面に直方体状の補強部４７が形成されている。この補強部４７は、前記補正レンズを補強するために形成されている。前記補強部４７の主走査方向（図１中、Ｘ方法）の両端付近には、主走査方向への調整力を受ける凹部４８が形成されている。
　【００３４】
　前記支持部４６には、前記補正レンズ４２及び前記補強部４７を主走査方向にのみ移動自在に保持する案内部４９が形成されている。
　【００３５】
　前記補強部４７及び前記案内部４９は、その補強部４７をその案内部４９に当接させることにより前記補正レンズ４２の主走査方向に直交する二方向（図１中、Ｙ方向及びＺ方向）について前記補正レンズ４２の位置決めがされるように形成されている。
　【００３６】
　前記補正レンズ４２の主走査方向の両端には、その補正レンズ４２を前記支持部４６に押し付けてその補正レンズ４２を固定する固定手段である板バネ５０が配置されている。前記板バネ５０は、ビス５１により前記支持部４６に固定されている。
　【００３７】
　このような構成において、補正レンズ４２は、補強部４７を案内部４９に当接させることにより主走査方向に直交する二方向Ｙ，Ｚについて位置決めが行われ、主走査方向の位置が板バネ５０により固定される。
　【００３８】
　また、ポリゴンミラー３８の位置決め精度が悪く、ポリゴンミラー３８が予め設定されている位置からずれて固定されることがある。このような場合には、補正レンズ４２の主走査方向の位置を調整する。このとき、補正レンズ４２を主走査方向に微動させることができるようにビス５１を緩める。そして、走査速度を測定する既存の測定器（図示せず）と、凹部４８に挿入される爪部（図示せず）と、この爪部を微動させる既存のメカニカルステージ（図示せず）とを用い、走査速度を測定器で測定しながら、メカニカルステージで爪部を主走査方向に微動させて主走査方向の両端の走査速度が所望の走査速度と一致したとき、ビス５１を締めて補正レンズ４２を固定する。また、この例では、補正レンズ４２のＳＯＳセンサ４３側の端部のみを接着剤で前記支持部４６に接着して補正レンズ４２を固定する。このとき、接着剤には、市販の嫌気性接着剤、瞬間接着剤や光硬化性接着剤を用いる。
　【００３９】
　このように、補正レンズ４２を主走査方向にのみ移動させ、走査速度が所望の走査速度となるようにポリゴンミラー３８の位置に合わせて補正レンズ４２の主走査方向の位置決めをすることにより、ポリゴンミラー３８及び補正レンズ４２の主走査方向の位置決め精度を良くすることができるため、ｆθ誤差が小さくなる。また、主走査方向に直交する二方向Ｙ，Ｚの位置がずれないように補正レンズ４２を案内部４９で保持することができるため、ポリゴンミラー３８の位置に合わせて補正レンズ４２の主走査方向の位置を調整する調整工程が簡略化される。さらに、補正レンズ４２の主走査方向の位置を調整するとき、補正レンズ４２が主走査方向に移動させするようにビス５１を緩め、板バネ５０が補正レンズ４２を固定する力を弱くすることができるため、補正レンズ４２の主走査方向の位置の微調整が容易になる。また、補正レンズ４２の一方の端部のみを接着剤で支持部４６に接着して補正レンズ４２を固定することにより、使用環境温度が変化した際に補正レンズ４２と支持部４６との膨張量の違いにより生じる補正レンズの主走査方向の位置のずれを防止できるため、使用環境温度が変化した際にｆθ誤差が大きくなるのが防止される。さらに、補正レンズ４２のＳＯＳセンサ４３側の端部のみを支持部４６に固定することにより、使用環境温度が変化した際に主走査方向の走査の開始位置側を基準に補正レンズが膨張又は収縮するため、使用環境状態が変化した際に生じるｆθ誤差を小さくなる。また、凹部４８を形成することにより、凹部４８に爪を挿入し、メカニカルステージで爪を主走査方向に微動させて補正レンズ４２を主走査方向に微動させることができるため、補正レンズ４２の主走査方向の位置の微調整が容易になる。さらに、光走査部６Ｙ，６Ｍ，６Ｃ，６Ｂそれぞれのｆθ誤差が小さくなるので、光走査部６Ｙ，６Ｍ，６Ｃ，６Ｂにおけるｆθ誤差のバラツキが小さくなる。従って、色ブレが防止され、画像品質が悪くなるのが防止される。
　【００４０】
　なお、本実施の形態においては、凹部４８が形成された補正レンズ４２について説明したが、凸部が形成された補正レンズ４２でも良い。この場合には、補正レンズ４２に形成された凸部を加える爪を用いてメカニカルステージでその爪を微動させるようにする。
　【００４１】
　また、本実施の形態においては、凹部４８に挿入された爪を主走査方向に移動させるものとしてメカニカルステージについて説明したが、凹部４８に挿入された爪を主走査方向に移動させるものがメカニカルステージに限定される訳ではない。
　【００４２】
　さらに、ポリゴンミラー３８や補正レンズ４２が予め設定されている位置からずれた際の走査位置のずれを光線追跡シミュレーションによって求めた結果を図６に示す。図６において、横軸は主走査方向の位置であり、縦軸は副走査方向の位置である。図６中、□は所望の走査位置（狙いとする設計値）を示し、×は光線追跡シミュレーションによって求められた実際の走査位置を示す。図６では、走査位置のずれをわかりやすくするため、光線追跡シミュレーションによって求められた走査位置（×）と所望の走査位置（□）と間隔を図中に示したスケールに拡大して示した。
　【００４３】
　図６（ａ）は、補正レンズ４２を予め設定された位置に配置し、ポリゴンミラー３８を予め設定された位置から主走査方向に０．００８ｍｍ（８μｍ）ずらして配置した際の走査位置のずれを求めた結果である。
　【００４４】
　このとき、主走査方向の位置ずれが最大で３１．６μｍ、絶対値平均で２９．９μｍとなり、副走査方向の位置ずれが最大で０．１μｍ、絶対値平均で０．１μｍとなり、斜め方向の位置ずれが最大で３１．６μｍ、絶対値平均で２９．９μｍとなった。このように、主走査方向の位置ずれの最大値と絶対値平均が近いことから、ポリゴンミラー３８のみを予め設定された位置から主走査方向に０．００８ｍｍ（８μｍ）ずらして配置した際の走査位置のずれがｆθ誤差の変化を伴わない単純な平行移動であると推測できる。
　【００４５】
　図６（ｂ）は、補正レンズ４２を予め設定された位置に配置し、ポリゴンミラー３８を予め設定された位置から主走査方向に０．１ｍｍずらして配置した際の走査位置のずれを求めた結果である。
　【００４６】
　このとき、主走査方向の位置ずれが最大で３９５．１μｍ、絶対値平均で３７３．９μｍとなり、副走査方向の位置ずれが最大で１．３μｍ、絶対値平均で０．８μｍとなり、斜め方向の位置ずれが最大で３９５．１μｍ、絶対値平均で３７３．９μｍとなった。
　【００４７】
　図６（ｃ）は、補正レンズ４２を予め設定された位置に配置し、ポリゴンミラー３８を予め設定された位置から主走査方向に０．１ｍｍずらして配置した後、光走査部６Ｙを主走査方向に０．３９５ｍｍずらして配置した際の走査位置のずれを求めた結果である。
　【００４８】
　このとき、主走査方向の位置ずれが最大で３５．７μｍ、絶対値平均で２１．１μｍとなり、副走査方向の位置ずれが最大で１．３μｍ、絶対値平均で０．８μｍとなり、斜め方向の位置ずれが最大で３５．７μｍ、絶対値平均で２１．２μｍとなった。このように、光走査部６Ｙを主走査方向に０．３９５ｍｍずらして配置することにより、主走査方向の両端部の走査位置を所望の走査位置とすることができる。しかし、これ以上の調整は不可能であり、副走査方向の位置ずれの最大値３５．７μｍがｆθ誤差となる。画像形成装置１ではｆθ誤差３５．７μｍにより色ずれが生じる。
　【００４９】
　図６（ｄ）は、ポリゴンミラー３８を予め設定された位置から主走査方向に０．１ｍｍずらして配置した後、補正レンズ４２を予め設定された位置から主走査方向に０．１ｍｍずらして配置し、光走査部６Ｙを主走査方向に０．３６９ｍｍずらして配置した際の走査位置のずれを求めた結果である。
　【００５０】
　このとき、主走査方向の位置ずれが最大で３．３μｍ、絶対値平均で２．０μｍとなり、副走査方向の位置ずれが最大で０．４μｍ、絶対値平均で０．３μｍとなり、斜め方向の位置ずれが最大で３．３μｍ、絶対値平均で２．０μｍとなった。このように、補正レンズ４２を予め設定されていた位置から主走査方向に意図的にずらして配置することにより、ｆθ誤差が大幅に軽減されることが理解される。
　【００５１】
　【発明の効果】
　請求項１記載の発明によれば、光源から出射された光を偏向して被走査面に前記光を走査させる偏向部と、前記偏向部により偏向された前記光を前記被走査面上の所定の位置に結像させる補正レンズとを備え、前記光源から出射された前記光を前記偏向部により偏向し、前記光を前記補正レンズにより前記被走査面上の所定の位置に結像させて前記被走査面に前記光を走査させる光走査装置において、前記補正レンズを主走査方向にのみ移動自在に保持する案内部と、前記補正レンズを前記案内部の所定の位置に固定する固定手段とを備えるので、補正レンズを主走査方向にのみ移動させ、補正レンズの主走査方向の位置決めをすることができ、これにより、ｆθ誤差が小さくなる。
　【００５２】
　請求項２記載の発明によれば、固定手段が補正レンズを案内部の所定の位置に固定する板バネであるので、補正レンズの主走査方向の位置を調整するとき、補正レンズが主走査方向に移動するように板バネが補正レンズを固定する力を弱くすることができ、これにより、補正レンズの主走査方向の位置の微調整が容易になる。
　【００５３】
　請求項３記載の発明によれば、固定手段が補正レンズの主走査方向の一端を案内部の所定の位置に固定する接着剤であるので、環境条件が変化して補正レンズが膨張したり収縮したりした際に補正レンズの主走査方向の位置がずれるのを防止でき、これにより、環境条件が変化した際にｆθ誤差が大きくなるのを防止できる。
　【００５４】
　請求項４記載の発明によれば、補正レンズが主走査方向への力を受ける凸部又は凹部を備えるので、主走査方向への力を凸部又は凹部にへ与えることにより、補正レンズを主走査方向に移動させることができ、これにより、補正レンズの主走査方向の位置の微調整が容易になる。
　【００５５】
　請求項５記載の発明によれば、色別に感光体の表面に静電潜像を形成する光走査装置を備えたカラー画像形成装置において、前記光走査装置が請求項１，２，３又は４記載の光走査装置であるので、ｆθ誤差の小さな光走査装置を使用して感光体上に光を走査させることができ、感光体間のｆθ誤差のバラツキを小さくすることができるため、色ブレが防止され、画像品質が悪くなるのが防止される。
【図面の簡単な説明】
　【図１】
　本発明の実施の形態の光走査装置の補正ミラーの支持構造を示す斜視図である。
　【図２】
　カラー画像形成装置を示す縦断正面図である。
　【図３】
　光走査装置を示す縦断側面図である。
　【図４】
　光走査装置を示す縦断正面図である。
　【図５】
　補正レンズの支持構造の分解斜視図である。
　【図６】
　偏向部の位置ずれとそれに伴う走査位置のずれを光線追跡シミュレーションによって求めたものである。
　【符号の説明】
　１　　　カラー画像形成装置
　２　　　転写紙
　５Ｙ　　　被走査面、感光体
　５Ｍ　　　被走査面、感光体
　５Ｃ　　　被走査面、感光体
　５Ｂ　　　被走査面、感光体
　３１　　　光源
　３２　　　偏向部
　４２　　　補正レンズ
　４８　　　凹部
　４９　　　案内部
　５０　　　固定手段、板バネ